(57)【要約】【課題】自分の限られた生えまつ毛に対して負担とならないように極力多くの本数の付まつげを取り付けることができ、また、時間の経過とともに生えまつ毛の成長という変化があっても出来るだけ違和感が生じないブリッジ型付けまつ毛を提供する。【解決手段】着用するために生えまつ毛に接着する取り付けのベースとなる縁部材を細い線状に形成するとともに、縁部材の両端に主毛材を屈折して連設してなるほゞＵ字形の増毛基材と、主毛材の間に配列され縁部材に接続される複数の副毛材とからなり、増毛基材および副毛材がそれぞれ軽量な素材により成形され、縁部材を主副の両毛材の太さ以下に細くし且つ伸縮性を付与して形成してある。【選択図】    図１
2013044064.tif 000002
【特許請求の範囲】
【請求項１】
着用するために生えまつ毛に接着する取り付けのベースとなる縁部材を細い線状に形成するとともに、縁部材の両端に主毛材を屈折して連設してなるほゞＵ字形の増毛基材と、主毛材の間に配列され縁部材に接続される複数の副毛材とからなり、増毛基材および副毛材がそれぞれ軽量な素材により成形され、縁部材を主副の両毛材の太さ以下に細くし且つ伸縮性を付与して形成してあることを特徴とするブリッジ型付けまつ毛。
【請求項２】
増毛基材および副毛材を比重が１以下のプラスチックにより成形してあることを特徴とする請求項１記載のブリッジ型付けまつ毛。
【請求項３】
縁部材と平行に同じく線状の補助部材を配してその両端を主毛材に接続し、副毛材を縁部材と補助部材との両方に支持させてあることを特徴とする請求項１又は２記載のブリッジ型付けまつ毛。
【発明の詳細な説明】
【技術分野】
【０００１】
この発明は、生体の一部である生えまつ毛を利用しそれに掛け渡して増毛する形式のブリッジ型付けまつ毛に関する。
【背景技術】
【０００２】
従来、付けまつ毛は、一般的に、弓形に横に長い太帯縁に多数の毛体を植毛して配列したもので（特許文献１）、これを使用するときには、ベースの太帯縁に接着液を塗布し、目の縁に沿って瞼に接着するものであった。直接皮膚に接着液を介して取り付けることから、これでは、殊に、皮膚が過敏であると、着用中に違和感が生じる難点があり、また、太帯縁により目の周囲が縁取られることから、相手に過剰に強烈な印象を与えることになり、場合によっては場の雰囲気に馴染まないという問題があった。
【０００３】
そこで、従来、生体の一部である生えまつ毛を利用し、それにまつ毛を一本づつ継ぎ足して増毛する施術形態が提案され（特許文献１）、また、本出願人においても発展的に開発に努めてきが、その開発の経過において、特に病中、病後において乏しくなった患者にとっては、施術により自分のまつ毛がよみがえるように再生すると気分が一新され元気に希望が与えられるということを確信した。
【先行技術文献】
【特許文献】
【０００４】
【特許文献１】特公昭５２−２８０６３号公報
【特許文献２】特開２００８−２５５５５７号公報
【発明の概要】
【発明が解決しようとする課題】
【０００５】
自分の身体と一体の生えまつ毛を利用する上記のような従来の増毛施術の適用にあたっては、個人的に身体の調子によって生え方が異なり、重病で入院中もしくは退院後のような患者であると、目の縁に自分のまつ毛が少しだけランダムに生えており、間がすいて疎らな寂しい生え方であることが多い。これに一本ずつの付けまつげでは、未だ寂しさが残るので、数本に跨がる基本の縁部材毛材を接着することにした。
【０００６】
しかしながら、自分の生えまつ毛に接着することにより多くのまつ毛を増毛するには、その重みが生えまつ毛に掛かって負担となる。また、殊に生えまつ毛が成長して伸びると、付けまつ毛の接着部分としての支えが先端部に移動するためさらに負担が加わる。これについて、ベースの縁部材が接着される左右２本の生えまつ毛について見ると、成長とともにその間が先開きとなるため、接着している縁部材が突っ張ることになり使用者にこれが違和感となり負担となるという問題があった。
【０００７】
この発明は、上記のような実情に鑑みて、自分の限られた生えまつ毛に対して負担とならないように極力多くの本数の付けまつげを取り付けることができ、また、時間の経過とともに生えまつ毛の成長という変化があっても出来るだけ違和感が生じないブリッジ型付けまつ毛を提供することを課題とした。
【課題を解決するための手段】
【０００８】
上記の課題を解決するために、この発明は、着用するために生えまつ毛に接着する取り付けのベースとなる縁部材を細い線状に形成するとともに、縁部材の両端に主毛材を屈折して連設してなるほゞＵ字形の増毛基材と、主毛材の間に配列され縁部材に接続される複数の副毛材とからなり、増毛基材および副毛材がそれぞれ軽量な素材により成形され、縁部材を主副の両毛材の太さ以下に細くし且つ伸縮性を付与して形成してあることを特徴とするブリッジ型付けまつ毛を提供する。
【０００９】
ブリッジ型まつ毛を上記のように構成したから、これを使用するときには、生えまつ毛が疎らでランダムであるとすると、その中からしっかりした柱となる少なくとも２本の生えまつ毛を選定し、それに主毛材を添えて接着する。そうすると、縁部材が目蓋Ｅの縁に沿って安定するので、その間の生えまつ毛にその縁部材を接着して安定化を確保し、次いで、その安定した縁部材に副毛材を接着して取り付ける。
【発明の効果】
【００１０】
以上説明したように、この発明のブリッジ型まつ毛によれば、長さだけでなく主に副毛材により本数でも増毛されるので、目元に生えまつ毛が疎らで不規則に生えている状態であっても、綺麗に目元を増毛してパッチリした目に変身させ得ることはもちろん、軽量化により負担がなく自然であって、また、日数が経過して生えまつ毛の間が開いても縁部材がそれに順応するので、突っ張る感じが生じることはなく自前のまつ毛と同じように快適に着用できる。
【図面の簡単な説明】
【００１１】
【図１】この発明による複数のブリッジ型付けまつ毛により目に増毛施術を施す要領を示す説明図である。
【図２】同要領により施術を施し増毛した状態を示す正面図である。
【図３】同実施例に使用するブリッジ型付けまつ毛を示すとともに一部を一点鎖線内に拡大して示す正面図である。
【図４】他の実施例を示す図３に対応する正面図である。
【図５】縁部材と両端の主毛材が一体の線材からなる増毛基材を造る方法を示す説明図である。
【図６】同方法における次の工程を示す説明図である。
【発明を実施するための形態】
【００１２】
この発明においては、出来る限り軽量化を図るために、比重の小さいプラスチックの線材を材料に使用する。これには、例えば、ポリエチレン（比重０．９２〜０．９４）やポリプロピレン（比重０．９０〜０．９１）等を使用することができる。
【００１３】
また、人のまつ毛は３週間で３〜７ｍｍ位伸びるというが、その伸びにより縁部材５の部分で引き上げられ、引っ張られることになるので、少なくとも縁部材５については伸縮性に優れていることが望ましい。この点については、ポリエチレン等では製造方法の違いで密度が異なる種類があるので、伸縮性が付与された縁部材５を得ることができる。
【００１４】
また、軽量化と伸縮性とは、素材を細くすることによっても得られる。これについては、縁部材５の太さ（Ｌ）を主毛材７や副毛材３の太さ（Ｍ）以下とする。つまりＬ≦Ｍとする。
【００１５】
ブリッジ型付けまつ毛Ｐの販売形態については、Ｕ字形をなす増毛基材１と、直形をなす副毛材３，３，・・が一体化した完品と、増毛基材１に副毛材が付いていない未完品とのいずれであっても良いものとする。いずれにしても、最初に両端の主毛材７，７を生えまつ毛９，９に添えて接着することにより、要領良く取り付けることができる。
【００１６】
なお、副毛材７の無い未完品であると、施術中において新しく副毛材３，３の間隔を自由に選択できるが、完品の場合であっても、副毛材３，３の間隔を広くして製品化しておくことで、副毛材３の追加で自由な密度を得ることができる。
【００１７】
増毛基材１は、縁部材５の両端に主毛材７，７を有するＵ字形の形態を基本とするものであるが、施術中に不要な箇所を切除し、都合により片方で使用することもできる（図１においてＰａとして示す）。
【実施例１】
【００１８】
ブリッジ型付けまつ毛Ｐは、取り付ける主体となる増毛基材１とそれに添えて接着する多数の副毛材３，３，・・からなるもので、着用する場合には、原則として増毛基材１が先に目に装着される。次いで、それに副毛材３，３，・・が接着される。使用者は特に限定されるものではないが、説明しやすくその対象を回復期にある入院患者であるものとする。したがって、患者の目蓋Ｅには、縁に沿って生え際の貧弱な短いまつ毛が疎らに生えている。
【００１９】
増毛基材１は、その形状が瞼の縁に沿わせる縁部材５の両端に主毛材７，７を接着して接続したほゞＵ字形であって、ポリエチレンの押出成形により線状に形成されるが、縁部材５がやゝ細く形成される。この細くなったことで、軽量化が図られるとともに、伸縮性が確保される。
【００２０】
増毛基材１の幅は、一定することなく、多数の種類が作られ、施術者（エステサロン等）において用意され、利用者に応じた幅のものが選択的に、または切除して使用される。利用者の瞼には生えまつ毛９，９，・・が疎らであるので、そのうちの丈夫な一対９，９を選んでその間と同じ幅Ｗの増毛基材１をピンで取って取り付ける。
【００２１】
取付けについては、生えまつ毛９，９に両端の主毛材７，７を縁部材５と共に接着液で接着し、中間の生えまつ毛９があればそれにも接着する。それから、副毛材３をピックアップしてほゞ等間隔おきに縁部材５に付ける。この副毛材３，３，・・の取付けにより一の範囲の施術が完了するので、その横においても同様の要領により施術して増毛する。そうすると、非常に軽量であり、縁部材５が細く目立たないので、本当にまつ毛が増えたように快適な印象を与えることができる。
【実施例２】
【００２２】
図４は、他の実施例を示したもので、この場合は、増毛基材１について、縁部材５とその両側の主毛材７，７とをＵ字形の一体に成形したものであるが、さらに補助部材６を平行に設けた。そして縁部材５と補助部材６とを細く形成し、補助部材６が主毛材７，７に接着して保持される。
【００２３】
増毛基材１のＵ字形の一体成形については、例えば、四角形の加熱中空型１１を使用する。それは、上壁１３が横に延びるゴム質である成形型であって、この使用については、材料の熱可塑性のプラスチック線材１５を上に載せて両端１７，１７を折り下げ（図５）、次いで、上下壁１３，１３の幅を拡張することにより線材の中間部を伸ばすことでこの部分を細く軽量化した縁部材５とする（図６）。これで縁部材５の両端に主毛材７，７が連続するＵ字形に形成できる。１９はヒーターである。
【符号の説明】
【００２４】
Ｐ  ブリッジ型付けまつ毛
１  増毛基材
３  副毛材
５  縁部材
６  補助部材
７  主毛材
９  生えまつ毛
【図１】
2013044064.tif 000003
【図２】
2013044064.tif 000004
【図３】
2013044064.tif 000005
【図４】
2013044064.tif 000006
【図５】
2013044064.tif 000007
【図６】
2013044064.tif 000008